【事件の表示】
　特願２００８−５３６８０２号「脈管内をクリッピングし、腔内および組織欠損を修復するための方法およびシステム。」拒絶査定不服審判事件〔平成１９年４月２６日国際公開、ＷＯ２００７／０４７８５１、平成２１年３月２６日国内公表、特表２００９−５１２５１５号〕について、次のとおり審決する。
【結　論】
　本件審判の請求は、成り立たない。
【理　由】
Ｉ．手続の経緯
　本願は、平成１８年１０月１８日（パリ条約による優先権主張　２００５年１０月１９日　（ＵＳ）アメリカ合衆国、　２００６年１月３日　（ＵＳ）アメリカ合衆国、　２００６年５月１６日　（ＵＳ）アメリカ合衆国、　２００６年５月２５日　（ＵＳ）アメリカ合衆国、　２００６年８月２８日　（ＵＳ）アメリカ合衆国）を国際出願日とする出願であって、平成２３年４月２５日付けで拒絶理由が通知され、これに対して同年１１月７日付けで意見書が提出されるとともに、同日付けで手続補正がなされ、平成２４年３月２２日付けで拒絶理由が通知され、これに対して同年９月２４日付けで意見書が提出され、同年１２月１８日付けで拒絶査定がなされたところ、同査定を不服として平成２５年５月８日に拒絶査定不服審判の請求がなされたものである。 　
　
II．本願発明
　本願の請求項１に係る発明（以下、同項記載の発明を、「本願発明」という。）は、平成２３年１１月７日付けの手続補正書により補正された特許請求の範囲の請求項１に記載される、以下のとおりのものである。
「小さな直径の形状を有する搬送状態からより大きな直径の形状を有する展開状態へと変形することのできる植え込み型動脈瘤閉塞デバイスであって、
　開いた遠位端を備え、前記デバイスが前記展開状態であるときに動脈瘤の内壁の少なくとも一部に接触するように形成され、全体に截頭円錐形のテーパ状の閉塞構造体と、
　一方の面および該一方の面と反対側の他方の面を有し、前記一方の面が前記テーパ状の閉鎖構造体の基部に結合される閉塞メンブレンであって前記デバイスが前記展開状態であるときに前記動脈瘤の開口部をほぼ覆う寸法の閉塞メンブレンと、
　前記デバイスが前記展開状態であるときに前記閉塞メンブレンの前記他方の面から第１の方向へ広がる第１の位置決め部材および前記閉塞メンブレンの前記他方の面から第２の方向へ広がる第２の位置決め部材を有するアンカー構造体とを含み、
　前記第１および第２の位置決め部材は前記展開状態であるときに前記動脈瘤の外側に在り、また前記閉塞メンブレンの周囲長を超えて広がる、植え込み型デバイス。」
　
III．引用例の記載事項
１．国際公開第０４／１９７９０号
　本願の優先権主張の日前に頒布された刊行物であり、原査定の拒絶の理由に引用された、国際公開第０４／１９７９０号（以下、「引用例１」という。翻訳文として引用例１のパテントファミリーである特表２００５―５３７０９１号公報を援用し、『』内に引用例１の摘示箇所に対応する特表２００５―５３７０９１号公報の記載を示す。）には、図面と共に次の事項が記載されている。
　
引１ア：「Thus, it would be beneficial to have a vaso-occlusive device that can be delivered to an aneurysm or other body vessel in a primary unexpanded configuration, wherein such device can be deployed and released to assume a secondary, expanded configuration which occludes the neck of the aneurysm, and which can be anchored at the site of the aneurysm so that it does not migrate from the site.
SUMMARY OF THE INVENTION
　The present invention relates to an improved device and method for the treatment of large, wide-necked aneurysms.
　In one aspect, the present invention relates to a device for the treatment of a defect in a vessel of a patient wherein the defect is in the form of a sac and the sac further has a neck portion. The device includes at least one sheet for occluding the defect from the vessel, and at least one securement member. At least one of the sheet or the securement member is within the sac and at least one of the sheet or the securement member is within the vessel, but both are not in the sac or in the vessel.」（２頁１８〜３２行）
『【発明が解決しようとする課題】
【０００７】
　従って、動脈瘤又は身体のその他の管に、第１の非展開形状で配送され、配置及び解放されて動脈瘤の頚部を閉塞する第２の展開形状になることができ、さらに動脈瘤の部位から移動しないようにその部位に固定される血管閉塞装置を有することが有利であろう。
【課題を解決するための手段】
【０００８】
　本発明は、頚部が幅広の大きい動脈瘤を治療するための装置に関する。
　一態様において、本発明は、患者の管における障害物を治療するための装置に関し、該障害物は嚢状物の形状であり、該嚢状物は頚部を有する。この装置は、管から障害物を閉塞するための少なくとも１つのシートと、少なくとも１つの固定部材とを備える。シート又は固定部材の少なくとも一方は嚢状物内に固定され、シート又は固定部材の少なくとも一方は血管内にあるが、両方が嚢状物内又は血管内にあることはない。』　
　
引１イ：「The present invention further relates to a method of treating a vascular defect including the steps of deploying the vaso-occlusive device to the site of the vascular defect, inserting the first sheet or other anchoring means through the neck of the vascular defect, deploying the first sheet, and deploying the second sheet or other anchoring means on the opposing side of the neck of the vascular defect. Suitably, both the first sheet and the second sheet are deployed through the use of a catheter delivery device. A retractable sheath may optionally be employed. If the first sheet or the second sheet are replaced with another anchoring means, then the anchoring means is also suitably deployed through the use of a catheter delivery device. A retractable sheath may be optionally employed. Deployment may be carried out with one device, or a combination of devices if the sheets are connected in situ, for example.」（４頁１５〜２５行）
『【００１５】
　本発明は、さらに、脈管障害物を治療する方法に関し、この方法は、血管閉塞装置を脈管障害部位に配置するステップと、第１のシート又は他のアンカー手段を、脈管障害物の頚部を通して挿入するステップと、第１のシートを配置するステップと、第２のシート又は他のアンカー手段を脈管障害物の頚部と対向する側に配置するステップとを含む。好適には、第１のシート及び第２のシートの両方は、カテーテル配送装置を用いることによって配置される。引き込み可能なシースは随意に使用可能である。第１のシート又は第２のシートが別のアンカー手段に置き換えられるならば、アンカー手段もまたカテーテル配送装置を用いることによって好適に配置される。引き込み可能なシースは随意に使用可能である。配置は、１つの装置を用いて実施可能である。また、例えば、シートを配置部位にて結合するならば複数の装置を組み合わせて実施することも可能である。』
　
引１ウ：「Turning now to the figures, Fig. 1 shows generally at 10, a two-leaf or two-sheet vaso-occlusive device, according to the present invention, hereinafter referred to as sheets. The vaso-occlusive device is shown positioned inside a blood vessel 12 at the site of a vascular defect, in this case, a side-wall aneurysm 14. Device 10 is shown having a first sheet 16 in an expanded state inside of the aneurysm 14 and a second sheet18 connected to the first sheet 16 by a connector 20. First sheet 16 has a vessel interface surface 22 and an opposing, non-interface surface and second sheet 18 has a vessel interface surface 24 and an opposing non-interface surface. The first sheet 16 may be connected to the second sheet 18 prior to deployment in the vessel and may thus be deployed in a single catheter device, or first sheet 16 and second sheet 18 may be deployed separately, and connected inside the vessel.」（５頁３０行〜６頁６行）
『【００１９】
　ここで図面を参照すると、図１は、本発明に係る２リーフ型又は２シート型の血管閉塞装置の全体を番号１０で示す。リーフは、以下、シートと称す。血管閉塞装置は、血管１２の内側で、脈管障害部位（この場合、側壁動脈瘤１４）に位置づけられている様子が示されている。装置１０は、動脈瘤１４の内側で展開状態にある第１のシート１６と、コネクタ２０により第１のシート１６に結合した第２のシート１８とを有するように示されている。第１のシート１６は、血管と接触する面２２と、対向する非接触面とを有し、第２のシート１８は、血管と接触する面２４と、対向する非接触面とを有する。第１のシート１６は、血管内への配置に先だって第２のシート１８に結合可能であり、それ故に単一のカテーテル装置内に配置可能である。また、第１のシート１６及び第２のシート１８を別々に配置し、血管の内側で結合させることも可能である。』
　
引１エ：「Figs. 2-3 illustrate deployment of a vaso-occlusive device 10 according to the present invention having a two-sheet structure into a side wall aneurysm 14. As shown in Fig. 2, vaso-occlusive device 10 is delivered through vessel 12 in a collapsed configuration inside the shaft 17 of a catheter delivery device 15. The catheter delivery device 15 is used to position vaso-occlusive device 10 such that sheet 16 and sheet 18 of vaso-occlusive device 10 are approximately centered at the neck 26 of aneurysm 14. Sheet 16 and sheet 18 of vaso-occlusive device 10 are shown in their unexpanded state inside the catheter delivery device 15 in Fig. 2. In this embodiment, the second sheet, in its unexpanded state, is in a rolled form. The sheets may also be folded, for example. A pusher wire 28 for pushing the first sheet 16 from the catheter and into the aneurysm and the second sheet 18 from the catheter is also shown.
　Fig. 3 illustrates the vaso-occlusive device 10 of Fig. 2 after deployment and expanded at the aneurysm 14. At this point, the catheter delivery device 15 has been pulled back such that sheet 16 and sheet 18 are deployed. As catheter delivery device 15 is pulled back, sheet 16 is first deployed, and as catheter delivery device is pulled back further, sheet 18 is then released. Optionally, a retractable sheath may be employed. Fig. 3shows both sheet 16 and sheet 18 in their fully deployed, expanded state.-In this embodiment sheet 18 is shown in the form of a rectangular sheet which is convex to the vessel wall 34 on which the vascular defect 14 is located. Sheet 18 is also convex to the aneurysm neck 26. The interfacing surface 24 of sheet 18 may include a biocompatible material for promoting integration of the device with the patient's vasculature or more rapid healing of the aneurysm. A portion of the opposing non-interfacing surface 30 is clearly shown in Fig. 3. Further, the interfacing surface 22 of sheet 16 may also optionally include a biocompatible material for promoting integration of the device with the patient's vasculature or more rapid healing of the aneurysm.
　The first sheet, in this embodiment, is functioning primarily as a securement member to keep the device in position, while the second sheet is functioning primarily as the occlusion member. In other embodiments, the shape of the first sheet may be designed to occlude the defect, and the second sheet designed to function as a securement member, or both sheets may be shaped to function as both occluding members and as securement members.
　Figs. 4-6 illustrate deployment of a vaso-occlusive device 10 according to the present invention in which the vaso-occlusive device 10 is employed in a terminal aneurysm 14. As shown in Fig. 4, vaso-occlusive device having a first sheet 16 and a second sheet 18 is delivered through vessel 12 via a catheter delivery system 15 to the site of the aneurysm 14. Fig. 4 illustrates the vaso-occlusive device in which sheet 16 and sheet 18 are both inside catheter shaft 17 in an unexpanded state. Sheet 16 and sheet18 are attached via connector 20. In this example, the sheets are in a folded rather than a rolled configuration in their unexpanded states. A pusher wire 28 is shown removably attached to vaso-occlusive device 10. Removable detachment may be accomplished through a variety of means, including, for example, severable junctions such as those severable by electrolytic corrosion, mechanical actuation, hydraulic pressure, thermal processes, electromagnetic energy, and so forth. This list is intended for illustrative purposes only, and is not exhaustive of what attachment systems may be employed in the present invention. One of ordinary skill in the art knows such attachment systems.
　Fig. 5 illustrates the same vaso-occlusive device 10 as shown in Fig. 4 in a now partially deployed state in which first sheet 16, shown in an umbrella form, has been deployed inside aneurysm 14 and has been positioned at neck 26 of aneurysm 14. Pusher wire 28 is employed to push sheet 16 into the aneurysm, and may then be used to pull sheet 16 back until it is in contact with neck 26. Sheet 18 is still in an undeployed, unexpanded state inside of catheter shaft 17. Sheet 18 is connected to the first sheet 16 by a connector 20.
　The operator may then continue to use pusher wire 28 to push sheet 18 outside of catheter shaft 17 while catheter deliver device 15 is then pulled back (not shown).
　Fig. 6 illustrates vaso-occlusive device 10 in a fully deployed state wherein both sheet 16 and sheet 18 are in position at neck 26 of aneurysm 14 and sheet 18 has also been deployed.
　It is important to note that the sheets do not have to be in any particular shape or configuration so long as the shape of at least one of the sheets provides adequate occlusion of the vascular defect such that a substantial amount of the blood flow is blocked and so long as at least one of the sheets provides adequate securement of the device at the neck of the vascular defect. Some examples of shapes include, but are not limited to, umbrella like structures, parabolic structures, spheres, discs, rectangular structures or semicircular partial cylinders which bend convexly toward the vascular defect, and the like. Furthermore, the sheet may be in the form of a rectangle which forms a semi-folded convex structure when deployed. The convex side is toward the neck of the vascular defect. 」（７頁３３行〜９頁３１行）
『【００２８】
　図２〜３は、２シート構造を有する本発明に係る血管閉塞装置１０を側壁動脈瘤１４の内側に配置する様子を示す。図２に示すように、血管閉塞装置１０は、カテーテル配送装置１５のシャフト１７の内側に折り畳まれた形状で、血管１２を通して配送される。カテーテル配送装置１５は、血管閉塞装置１０のシート１６及びシート１８が動脈瘤１４の頚部２６のほぼ中央に位置するように血管閉塞装置１０を配置するために用いられる。図２には、血管閉塞装置１０のシート１６及びシート１８が、カテーテル配送装置１５の内側で非展開状態にある様子が示されている。この実施形態において、非展開状態にある第２のシートは、巻かれた形状を有している。このシートは、例えば折り曲げられることも可能である。第１のシート１６をカテーテルから押し出すとともに動脈瘤内に押し込み、且つ第２のシート１８をカテーテルから押し出すためのプッシャワイヤ２８も図示されている。
【００２９】
　図３は、図２の血管閉塞装置１０が配置後に動脈瘤１４にて展開された様子を示す。この時点で、カテーテル配送装置１５は、シート１６及びシート１８が配置されるように引き戻されている。カテーテル配送装置１５が引き戻されると、シート１６が最初に配置され、カテーテル配送装置がさらに引き戻されると、次いでシート１８が解放される。引き込み可能なシースは随意に使用可能である。図３は、シート１６及びシート１８の両方が完全に配置及び展開された状態を示す。この実施形態において、シート１８は、脈管障害物１４が位置する血管壁３４に対して凸となる矩形のシートの形状で示されている。シート１８は、動脈瘤の頚部２６に対しても凸となる。シート１８の接触面２４は、装置と患者の脈管構造との一体化を促進したり、動脈瘤をより迅速に治癒したりするための生体適合性材料を備えることが可能である。対向する非接触面３０の一部が図３に明確に示されている。また、シート１６の接触面２２も、装置と患者の脈管構造との一体化を促進したり、動脈瘤をより迅速に治癒したりするための生体適合性材料を備えることが可能である。
【００３０】
　この実施形態において、第１のシートは、主に、装置を適切な位置に保持するための固定部材として機能し、第２のシートは、主に、閉塞部材として機能する。別の実施形態において、第１のシートの形状は、障害物を閉塞するために設計され、第２シートは、固定部材として機能するように設計され得る。また、両方のシートが閉塞部材及び固定部材の両方の機能を有するように設計されることも可能である。
【００３１】
　図４〜６は、本発明に係る血管閉塞装置１０を末端の動脈瘤１４に用いる場合の配置を示す。図４に示すように、シート１６及びシート１８を有する血管閉塞装置は、カテーテル配送システム１５により、血管１２を通って動脈瘤１４の部位に配送されている。図４は、シート１６及びシート１８の両方がカテーテルシャフト１７の内側で非展開状態にある血管閉塞装置を示す。シート１６及びシート１８はコネクタ２０によって取り付けられている。この例において、これらのシートは、非展開状態において巻かれた形状ではなく、折り畳まれた形状である。血管閉塞装置１０に取り外し可能に取り付けられるプッシャワイヤ２８が示されている。取り外し可能な分解は、例えば分解可能な接合部を含む様々な手段により達成可能である。分解可能な接合部は、例えば、電蝕、機械的作動、水圧、熱処理、電磁エネルギーなどにより分解可能なものを含む。この列挙は例示を目的としたものに過ぎず、本発明に用いられ得るアタッチメントシステムを網羅的に示したものではない。当業者は、このようなアタッチメントシステムを知っているであろう。
【００３２】
　図５は、図４に示されるのと同じ血管閉塞装置１０が部分的に配置された状態を示し、この状態において、傘の形状で示される第１のシート１６は、動脈瘤１４の内側に配置されるとともに、動脈瘤１４の頚部２６に位置づけられている。シート１６を動脈瘤内に押し込むためにプッシャワイヤ２８が用いられ、次いで、そのプッシャワイヤ２８は、シート１６が頚部２６と接触するまでシート１６を引き戻すために用いられ得る。シート１８は、依然として、カテーテルシャフト１７の内側で、非配置及び非展開状態にある。シート１８はコネクタ２０によりシート１６に結合している。
【００３３】
　次いで、操作者は、プッシャワイヤ２８を使い続けながら、カテーテルシャフト１７の外側にシート１８を押し出す。その間にカテーテル配送装置１５が引き戻される（図示せず）。
【００３４】
　図６は、完全に配置された状態の血管閉塞装置１０を示し、この状態において、シート１６及びシート１８の両方は動脈瘤１４の頚部２６の適切な位置にあり、シート１８もすでに配置されている。
【００３５】
　少なくとも一方のシートがかなりの量の血流を遮断するように脈管障害物の適切な閉塞をもたらす限りにおいて、さらには、少なくとも一方のシートが装置を脈管障害物の頚部に適切に固定する限りにおいて、シートが特定の形状も構造も有する必要がないことに留意することが重要である。形状の幾つかの例は、限定はされないが、傘状の構造、放物面状の構造、球面、円盤、矩形の構造、又は、脈管障害物に向って凸状に曲がる半円形の部分円筒などを含む。また、シートは、配置されたときに半曲げの凸状構造を成す矩形の形状であってもよい。凸側は脈管障害物の頚部に向けられる。』
　
引１オ：「The sheets may be connected prior to delivery to the site, or they may be connected in situ.
　The first sheet or the second sheet may be replaced with an alternative securement structure. In one embodiment, the securement structure includes a plurality of struts.
」（１５頁２９〜３３行）
『【００６５】
　これらのシートは、部位への配送に先だって結合されていてもよく、或いは前記部位で結合されてもよい。
　第１のシート又は第２のシートは代替の固定構造物に置き替え可能である。一実施形態において、固定構造物は複数のストラットを含む。』
　
引１ａ：引１アの「動脈瘤又は身体のその他の管に、第１の非展開形状で配送され、配置及び解放されて動脈瘤の頚部を閉塞する第２の展開形状になることができ、さらに動脈瘤の部位から移動しないようにその部位に固定される血管閉塞装置」との記載を参酌すると、血管閉塞装置の搬送から固定までを示す図４〜６には、「血管塞装置が、小さな直径の形状を有する搬送状態からより大きな直径の形状を有する展開状態へと変形することのできる、血管の動脈瘤の部位に固定される」態様が示されているといえる。
【図４】〜【図６】
引１ｂ：引１エの「第１のシートは、主に、装置を適切な位置に保持するための固定部材として機能し、第２のシートは、主に、閉塞部材として機能する。・・・また、両方のシートが閉塞部材及び固定部材の両方の機能を有するように設計されることも可能である。」との記載、引１エの「傘の形状で示される第１のシート１６は、動脈瘤１４の内側に配置されるとともに、動脈瘤１４の頚部２６に位置づけられている。シート１６を動脈瘤内に押し込む・・・次いで、・・・シート１６が頚部２６と接触するまでシート１６を引き戻す」との記載及び図６においてシート１６が血管閉塞装置を血管の動脈瘤の部位に固定する機能を奏するとともに動脈瘤の開口部を閉塞する機能をも奏するのが明らかなことを参酌すると、血管閉塞装置が展開された状態の図６には、「シート１６が、開いた遠位端を備え、血管閉塞装置が展開状態であるときに動脈瘤の内壁の少なくとも一部に接触するように形成され、全体に円錐形のテーパ状の閉塞部材として機能する」態様が示されているといえる。
　　
引１ｃ：引１エの「シート１６及びシート１８はコネクタ２０によって取り付けられている。」との記載、引１エの「第２のシート１８」との記載、引１エの「第１のシートは、主に、装置を適切な位置に保持するための固定部材として機能し、第２のシートは、主に、閉塞部材として機能する。・・・また、両方のシートが閉塞部材及び固定部材の両方の機能を有するように設計されることも可能である。」との記載及び図６においてシート１８が動脈瘤の開口部を閉塞する機能を奏するとともに血管閉塞装置を血管の動脈瘤の部位に固定する機能をも奏するのが明らかなことを参酌すると、血管閉塞装置が展開された状態の図６には、「シート１８が、一方の面および該一方の面と反対側の他方の面を有し、前記一方の面がテーパ状のシート１６の基部に結合され、血管閉塞装置が展開状態であるときに動脈瘤の開口部をほぼ覆う寸法であって前記動脈瘤の開口部を閉塞する機能を奏するシート部分と、血管閉塞装置が前記展開状態であるときに前記動脈瘤の開口部を閉塞する機能を奏するシート部から第１の方向へ広がり、前記血管閉塞装置を血管の動脈瘤の部位に固定する機能を奏する第１のシート部分及び前記動脈瘤の開口部を閉塞する機能を奏するシート部分から第２の方向へ広がり、前記血管閉塞装置を血管の動脈瘤の部位に固定する機能を奏する第２のシート部分を有する、前記動脈瘤の開口部を閉塞する機能を奏するシート部分の周囲のシート部分とを含み、
　前記第１のシート部分及び第２のシート部分は前記展開状態であるときに前記動脈瘤の外側に在り、また前記動脈瘤の開口部を閉塞機能を奏するシート部分の周囲長を超えて広がる」態様が示されているといえる。
　　
　これら記載事項を総合すると、引用例１には、次の発明（以下、「引用発明１」という。）が記載されている。
「小さな直径の形状を有する搬送状態からより大きな直径の形状を有する展開状態へと変形することのできる、血管の動脈瘤の部位に固定される血管閉塞装置であって、
　開いた遠位端を備え、前記装置が前記展開状態であるときに動脈瘤の内壁の少なくとも一部に接触するように形成され、全体に円錐形のテーパ状の閉塞部材として機能するシート１６と、
　シート１８において、一方の面および該一方の面と反対側の他方の面を有し、前記一方の面が前記テーパ状のシート１６の基部に結合され、前記装置が前記展開状態であるときに前記動脈瘤の開口部をほぼ覆う寸法であって前記動脈瘤の開口部を閉塞する機能を奏するシート部分と、
　シート１８において、前記装置が前記展開状態であるときに前記動脈瘤の開口部を閉塞する機能を奏するシート部分から第１の方向へ広がり、前記血管閉塞装置を血管の動脈瘤の部位に固定する機能を奏する第１のシート部分及び前記動脈瘤の開口部を閉塞する機能を奏するシート部分から第２の方向へ広がり、前記血管閉塞装置を血管の動脈瘤の部位に固定する機能を奏する第２のシート部分を有する、前記動脈瘤の開口部を閉塞する機能を奏するシート部分の周囲のシート部分とを含み、
　前記第１のシート部分及び第２のシート部分は前記展開状態であるときに前記動脈瘤の外側に在り、また前記動脈瘤の開口部を閉塞する機能を奏するシート部分の周囲長を超えて広がる、血管の動脈瘤の部位に固定される血管閉塞装置。」
　
２．特開２００１−２８６４７８号公報
　本願の優先権主張の日前に頒布された刊行物であり、原査定の拒絶の理由に引用された、特開２００１−２８６４７８号公報（以下、「引用例２」という。）には、図面と共に次の事項が記載されている。
　
引２ア：「【特許請求の範囲】
【請求項１】  血管の障害を処置するための動脈瘤閉塞システムであって、
基端と、先端と、貫通して延びる管腔とを有するカテーテルと、
上記カテーテルの上記管腔の内部に摺動可能に配置されたプッシュロッドと、
安定化部と閉塞部とを有する折り畳み可能な動脈瘤閉塞装置とを備え、
上記安定化部は弾性を有するワイヤを備え、このワイヤは解放されるとほぼ円形になって血管内で動脈瘤閉塞装置を安定化させるようになっており、
上記閉塞部は弾性を有するワイヤのやぐらを備え、このやぐらは解放されると血管内の内周の一部だけにわたって広がり、動脈瘤の開口を横切って延びるのに適した形状を形成して、動脈瘤を塞栓するようになっており、上記閉塞部は上記安定化部に取り付けられており、
上記動脈瘤閉塞装置は、しぼめられて、上記カテーテルの上記先端の管腔の内部に摺動可能に配置されており、上記動脈瘤閉塞装置に対する上記プッシュロッドの先端側への移動によって上記動脈瘤閉塞装置は上記カテーテルの管腔を脱出し、血管内の位置で膨張することを特徴とする動脈瘤閉塞システム。」
　
引２イ：「【０００１】
【発明の属する技術分野】この出願は、１９９９年３月１０日に出願された米国特許仮出願第６０／１２３，５７４号の利益を受けることを求め、その開示内容は参照されることによって、この出願の一部として含められる。この発明は、人体の血管内の所定の位置に配置される医療装置に係り、さらに詳細には、血管内の所定の位置にカテーテルで送り込まれて、血管内の障害を塞栓する折り畳み可能な塞栓形成装置に関する。」
　
引２ウ：「【０００７】
【発明が解決しようとする課題】この発明は上記のような課題を解決するためになされたもので、簡単な構造で血管への挿入に適しており、血管に対する動脈瘤の開口への塞栓を完全に形成することが容易に行うことができる動脈瘤閉塞システムを得ることを目的とする。
【０００８】
【課題を解決するための手段】この発明は、動脈瘤閉塞装置を血管内の所定の位置に配置する動脈瘤閉塞システムに関するものであり、この動脈瘤閉塞システムは、基端と先端と貫通した管腔とを有するカテーテルと、プッシュロッドと、動脈瘤閉塞装置とを有する。カテーテルは、その先端が動脈瘤のネックに位置するように、血管構造の内部に配置される。動脈瘤閉塞装置は、しぼめられて、カテーテルの管腔内に摺動可能に配置される。プッシュロッドは、カテーテルの内部における動脈瘤閉塞装置の基端側に配置される。プッシュロッドがカテーテルの先端に向けて移動させられると、プッシュロッドは動脈瘤閉塞装置にかかってこれをカテーテルの管腔の先端から脱出させる。これにより動脈瘤閉塞装置は動脈瘤のネックを横切る位置で膨張し、動脈瘤を塞栓する。
【０００９】この発明の別の観点によれば、動脈瘤閉塞装置は、安定化部と安定化部に固定された閉塞部とを備える。動脈瘤閉塞装置は、曲がりくねった血管構造を通過させられるのに十分なほどに柔軟な可撓性のある弾性材料から形成されている。安定化部は、膨張させられると、ほぼ円形のループを形成する。閉塞部は、膨張させられると、ワイヤのやぐらを形成する。このやぐらは、動脈瘤のネックを横切って配置され、血管内の内周の一部だけにわたって広がる。」
　
引２エ：「【００１５】
【発明の実施の形態】図１は、動脈瘤塞栓形成システム２を概略的に示す図である。この動脈瘤塞栓形成システム２は、カテーテル４と、ハブ１０と、動脈瘤閉塞装置１２とを備える。カテーテル４は基端６と先端８を有する。ハブ１０はカテーテル４の基端６に取り付けられている。動脈瘤閉塞装置１２はカテーテル４の先端８の管腔内に配置されている。ハブ１０の管腔はカテーテル４の管腔と相互に流体が流れることができるように連通している。ハブ１０の管腔を貫通するようにプッシュロッド１４が配置されており、このプッシュロッド１４はカテーテル４の管腔の内部にも挿入されている。
【００１６】図２乃至図４は、動脈瘤閉塞装置１２を配備する連続的な過程を示す図である。図２は、血管１６の内部の動脈瘤塞栓形成システム２の一部破断図である。血管１６は動脈瘤１８と通常呼ばれる異常な欠陥を有している。血管１６から動脈瘤１８の始まる点は通常動脈瘤のネック２０と呼ばれる。図２はまた、動脈瘤のネック２０の近辺にあるカテーテル４の先端８を示す図である。カテーテル４の先端８の管腔内部でしぼんでいるのが動脈瘤閉塞装置１２である。
【００１７】図３は、先端側に移動させられたプッシュロッド１４を示す図である。プッシュロッド１４の前進により、第１の安定化部２２がカテーテル４の先端８の管腔から脱出し、血管１６の内部でほぼ円形になるように膨張する。図３から理解されるように、第１の安定化部２２の直径は、血管１６の直径に適合するサイズに形成されている。第１の安定化部２２が配備された後、カテーテル４は血管１６の内部において、プッシュロッド１４に対して基端側へ移動させられる。この動作により、閉塞部２４はカテーテル４の先端８の管腔から脱出し、血管１６の内部で動脈瘤のネック２０を横切る位置において膨らむ。
【００１８】図４は、完全に配備された血管１６の内部の動脈瘤閉塞装置１２を示す図である。図４に示すように、第２の安定化部２６は、カテーテル４の先端８の管腔を脱出し、血管１６の内部でほぼ円形になるように膨張する。さらに図４には、閉塞部２４から構成された膨張したやぐら構造が示されている。第１の安定化部２２の基端部側および第２の安定化部２６の先端部側に連結された閉塞部２４は、動脈瘤のネック２０を横切るように配置され、動脈瘤１８の内部に血液が流入するのを減少させ、動脈瘤１８の内部で血栓が形成されるのを促進する。」
　
引２オ：「【００２３】図８は、第２の好適な実施の形態の膨張可能な動脈瘤閉塞装置３０を示す図である。動脈瘤閉塞装置３０は第１の安定化部３２と閉塞部３４と第２の安定化部３６とカバー３８を備える。カバー３８は閉塞部３４の骨組に取り付けられている。閉塞部３４に取り付けられた閉塞部３４は、動脈瘤のネックの全体にわたって配置される。カバー３８は、動脈瘤への血流を大幅に低減もしくは阻止することを意図して設けられている。カバー３８が動脈瘤閉塞装置３０と一緒になって、カテーテルの管腔の内部に収まらなければならないので、カバー３８は弾性材料から形成されているべきである。これらの材料は、シリコン（silicone）、ポリエーテル、ポリウレタン、ポリイミド、ヒドロゲル、その他のポリマーのような移植可能な用途に適したポリマーを含む。ヒドロゲルとしては、例えばポリビニルアルコールまたはポリビニルピロリドンが挙げられる。カバー３８の形状は、上記のポリマーまたは超弾性金属のいずれかから形成された繊維のメッシュであってもよいし、あるいは、透過性、半透過性、非透過性の膜および膨張可能な泡であってもよい。蛍光透視法の下でカバー３８を視覚化するための改良としては、放射線不透過性のあるヨウ素をポリマーへ直接的に結合すること、またはタンタルもしくはタングステンのような放射線不透過性のある金属をポリマーに混合することが含まれる。好適な実施の形態では、タンタルのような放射線不透過性材料をシリコン（silicone）ポリマー膜に混合して、カバー３８に用いる。折り畳み可能な円筒状のやぐらに取り付けられたカバー３８は、通常、動脈瘤への血流を制限して、動脈瘤の血栓の形成を促進する。」
　
引２ａ：引２イの「この発明は、人体の血管内の所定の位置に配置される医療装置に係り、さらに詳細には、血管内の所定の位置にカテーテルで送り込まれて、血管内の障害を塞栓する折り畳み可能な塞栓形成装置に関する。」との記載及び引２ウの「動脈瘤閉塞装置は、しぼめられて、カテーテルの管腔内に摺動可能に配置される。プッシュロッドは、カテーテルの内部における動脈瘤閉塞装置の基端側に配置される。プッシュロッドがカテーテルの先端に向けて移動させられると、プッシュロッドは動脈瘤閉塞装置にかかってこれをカテーテルの管腔の先端から脱出させる。これにより動脈瘤閉塞装置は動脈瘤のネックを横切る位置で膨張し、動脈瘤を塞栓する。」との記載を参酌すると、動脈瘤閉塞装置の搬送から固定までを示す図２〜４には、「動脈瘤閉塞装置が、小さな直径の形状を有する搬送状態からより大きな直径の形状を有する展開状態へと変形することのできる人体の血管内の所定の位置に配置される」態様が示されているといえる。
【図２】〜【図４】
引２ｂ：引２アの「上記安定化部は・・・血管内で動脈瘤閉塞装置を安定化させる」との記載及び引２エの「図８は、第２の好適な実施の形態の膨張可能な動脈瘤閉塞装置３０を示す図である。動脈瘤閉塞装置３０は第１の安定化部３２と閉塞部３４と第２の安定化部３６とカバー３８を備える。カバー３８は閉塞部３４の骨組に取り付けられている。閉塞部３４に取り付けられた閉塞部３４は、動脈瘤のネックの全体にわたって配置される。カバー３８は、動脈瘤への血流を大幅に低減もしくは阻止することを意図して設けられている。カバー３８が動脈瘤閉塞装置３０と一緒になって、カテーテルの管腔の内部に収まらなければならないので、カバー３８は弾性材料から形成されているべきである。・・・カバー３８の形状は、・・・透過性、半透過性、非透過性の膜および膨張可能な泡であってもよい。折り畳み可能な円筒状のやぐらに取り付けられたカバー３８は、通常、動脈瘤への血流を制限して、動脈瘤の血栓の形成を促進する。」との記載を参酌すると、動脈瘤閉塞装置が展開された状態の図８には、「動脈瘤閉塞装置が、一方の面および該一方の面と反対側の他方の面を有する透過性、半透過性、非透過性の膜が骨組に取り付けられた閉塞部であって前記装置が前記展開状態であるときに前記動脈瘤の開口部をほぼ覆う寸法の閉塞部と、
　前記装置が前記展開状態であるときに前記閉塞部から第１の方向へ広がり、血管内で前記動脈瘤閉塞装置を安定化させる第１の安定化部及び前記閉塞部から第２の方向へ広がり、血管内で前記動脈瘤閉塞装置を安定化させる第２の安定化部を有し、
　前記第１および第２の安定化部は前記展開状態であるときに前記動脈瘤の外側に在り、また前記閉塞部の周囲長を超えて広がる、人体の血管内の所定の位置に配置される」態様が示されているといえる。
【図８】
　
　これら記載事項を総合すると、引用例２には、次の発明（以下、「引用発明２」という。）が記載されている。
「小さな直径の形状を有する搬送状態からより大きな直径の形状を有する展開状態へと変形することのできる人体の血管内の所定の位置に配置される動脈瘤閉塞装置であって、
　一方の面および該一方の面と反対側の他方の面を有する透過性、半透過性、非透過性の膜が骨組に取り付けられた閉塞部であって前記装置が前記展開状態であるときに前記動脈瘤の開口部をほぼ覆う寸法の閉塞部と、
　前記装置が前記展開状態であるときに前記閉塞部から第１の方向へ広がり、血管内で前記動脈瘤閉塞装置を安定化させる第１の安定化部及び前記閉塞部材から第２の方向へ広がり、血管内で前記動脈瘤閉塞装置を安定化させる第２の安定化部を有し、
　前記第１および第２の安定化部は前記展開状態であるときに前記動脈瘤の外側に在り、また前記閉塞部の周囲長を超えて広がる、人体の血管内の所定の位置に配置される動脈瘤閉塞装置。」　
　
IV．対比
　引用発明１の「血管の動脈瘤の部位に固定される」は本願発明の「植え込み型」に相当し、引用発明１の「血管の動脈瘤部位に固定される血管閉塞装置」は、動脈瘤を閉塞することが明らかだから、本願発明の「植え込み型動脈瘤閉塞デバイス」に相当する。
　
　「截頭円錐形」は「円錐形」に含まれるとともに、引用発明１の「全体に円錐形のテーパ状の閉塞部材として機能するシート１６」は、「全体に円錐形のテーパ状の閉塞構造体」といえるから、引用発明１の「開いた遠位端を備え、前記装置が前記展開状態であるときに動脈瘤の内壁の少なくとも一部に接触するように形成され、全体に円錐形のテーパ状の閉塞部材として機能するシート１６」と本願発明の「開いた遠位端を備え、前記デバイスが前記展開状態であるときに動脈瘤の内壁の少なくとも一部に接触するように形成され、全体に截頭円錐形のテーパ状の閉塞構造体」とは、「開いた遠位端を備え、前記デバイスが前記展開状態であるときに動脈瘤の内壁の少なくとも一部に接触するように形成され、全体に円錐形のテーパ状の閉塞構造体」である点で一致する。
　
　引用発明１の「シート１８」はメンブレンといえるから、引用発明１の「シート１８において、一方の面および該一方の面と反対側の他方の面を有し、前記一方の面が前記テーパ状のシート１６の基部に結合され、前記装置が前記展開状態であるときに前記動脈瘤の開口部をほぼ覆う寸法であって前記動脈瘤の開口部を閉塞する機能を奏するシート部分」は、「一方の面および該一方の面と反対側の他方の面を有し、前記一方の面が前記テーパ状の閉鎖構造体の基部に結合される閉塞メンブレン部であって前記デバイスが前記展開状態であるときに前記動脈瘤の開口部をほぼ覆う寸法の閉塞メンブレン部」といえる。
　また、引用発明１の「シート１８において、・・・前記血管閉塞装置を血管の動脈瘤の部位に固定する機能を奏する第１のシート部分」は、血管閉塞装置の位置決めをするものであって、「第１の位置決め部」といえるから、引用発明１の「シート１８において、前記装置が前記展開状態であるときに前記動脈瘤の開口部を閉塞する機能を奏するシート部分から第１の方向へ広がり、前記血管閉塞装置を血管の動脈瘤の部位に固定する機能を奏する第１のシート部分」は、「前記デバイスが前記展開状態であるときに前記閉塞メンブレン部から第１の方向へ広がる第１の位置決め部」といえる。
　同様に、引用発明１の「シート１８において、前記装置が前記展開状態であるときに・・・前記動脈瘤の開口部を閉塞する機能を奏するシート部分から第２の方向へ広がり、前記血管閉塞装置を血管の動脈瘤の部位に固定する機能を奏する第２のシート部分」は、「前記デバイスが前記展開状態であるときに・・・前記閉塞メンブレン部から第２の方向へ広がる第２の位置決め部」といえる。
　さらに、「アンカー」が通常「錨」を意味すること（広辞苑第６版）及び本願明細書の記載からして、「シート１８において、・・・前記血管閉塞装置を血管の動脈瘤の部位に固定する機能を奏する第１のシート部分及び・・・前記血管閉塞装置を血管の動脈瘤の部位に固定する機能を奏する第２のシート部を有する、前記動脈瘤の開口部を閉塞する機能を奏するシート部分の周囲のシート部分」は、「アンカー部」といえる。
　そうすると、引用発明１の「シート１８において、前記装置が前記展開状態であるときに前記動脈瘤の開口部を閉塞する機能を奏するシート部分から第１の方向へ広がり、前記血管閉塞装置を血管の動脈瘤の部位に固定する機能を奏する第１のシート部分及び前記動脈瘤の開口部を閉塞する機能を奏するシート部分から第２の方向へ広がり、前記血管閉塞装置を血管の動脈瘤の部位に固定する機能を奏する第２のシート部分を有する、前記動脈瘤の開口部を閉塞する機能を奏するシート部分の周囲のシート部分とを含」むと本願発明の「前記デバイスが前記展開状態であるときに前記閉塞メンブレンの前記他方の面から第１の方向へ広がる第１の位置決め部材および前記閉塞メンブレンの前記他方の面から第２の方向へ広がる第２の位置決め部材を有するアンカー構造体とを含」むとは、「前記デバイスが前記展開状態であるときに前記閉塞メンブレン部から第１の方向へ広がる第１の位置決め部および前記閉塞メンブレン部から第２の方向へ広がる第２の位置決め部を有するアンカー構造体部とを含」む点で一致する。
　
　引用発明１の「前記第１のシート部分及び第２のシート部分は前記展開状態であるときに前記動脈瘤の外側に在り、また前記動脈瘤の開口部を閉塞する機能を奏するシート部分の周囲長を超えて広がる」と本願発明の「前記第１および第２の位置決め部材は前記展開状態であるときに前記動脈瘤の外側に在り、また前記閉塞メンブレンの周囲長を超えて広がる」とは、「前記第１および第２の位置決め部は前記展開状態であるときに前記動脈瘤の外側に在り、また前記閉塞メンブレン部の周囲長を超えて広がる」点で一致する。
　
　以上によれば、本願発明と引用発明１とは次の点で一致する。
（一致点）
「小さな直径の形状を有する搬送状態からより大きな直径の形状を有する展開状態へと変形することのできる植え込み型動脈瘤閉塞デバイスであって、
　開いた遠位端を備え、前記デバイスが前記展開状態であるときに動脈瘤の内壁の少なくとも一部に接触するように形成され、全体に円錐形のテーパ状の閉塞構造体と、
　一方の面および該一方の面と反対側の他方の面を有し、前記一方の面が前記テーパ状の閉鎖構造体の基部に結合される閉塞メンブレン部であって前記デバイスが前記展開状態であるときに前記動脈瘤の開口部をほぼ覆う寸法の閉塞メンブレン部と、
　前記デバイスが前記展開状態であるときに前記閉塞メンブレン部から第１の方向へ広がる第１の位置決め部および前記閉塞メンブレン部から第２の方向へ広がる第２の位置決め部を有するアンカー部とを含み、
　前記第１および第２の位置決め部は前記展開状態であるときに前記動脈瘤の外側に在り、また前記閉塞メンブレン部の周囲長を超えて広がる、植え込み型デバイス。」
　
　そして、両者は以下の点で相違する。
（相違点１）
「全体に円錐形のテーパ状の閉塞構造体」につき、
　本願発明では、「全体に『截頭円錐形』のテーパ状の閉塞構造体」であるのに対して、
　引用発明１では、「全体に『円錐形』のテーパ状の閉塞部材として機能するシート１６」である点。　
　
（相違点２）
　本願発明では、「閉塞メンブレン部」、「第１の位置決め部」、「第２の位置決め部」、「アンカー部」が、それぞれ「閉塞メンブレン」、「第１の位置決め部材」、「第２の位置決め部材」、「アンカー構造体」であって、「第１の位置決め部材」、「第２の位置決め部材」が、「前記閉塞メンブレンの前記他方の面から」「広がる」ものであるのに対して、
　引用発明１では、「閉塞メンブレン部」、「第１の位置決め部」、「第２の位置決め部」、「アンカー部」が、それぞれシート１８において、「閉塞メンブレン」、「第１の位置決め部材」、「第２の位置決め部材」、「アンカー構造体」としての機能を奏する各シート部分であって、「第１の位置決め部材」、「第２の位置決め部材」としての機能を奏する各シート部分が、「前記閉塞メンブレン」としての機能を奏するシート部分の「前記他方の面から」「広がる」ものではない点。
　
V．判断
１．相違点１
　引用例１には、第１のシートであるシート１６について、「第１のシートは、主に、装置を適切な位置に保持するための固定部材として機能し、・・・両方のシートが閉塞部材及び固定部材の両方の機能を有するように設計されることも可能である。」（引１エ）、「少なくとも一方のシートがかなりの量の血流を遮断するように脈管障害物の適切な閉塞をもたらす限りにおいて、さらには、少なくとも一方のシートが装置を脈管障害物の頚部に適切に固定する限りにおいて、シートが特定の形状も構造も有する必要がないことに留意することが重要である。形状の幾つかの例は、限定はされないが、傘状の構造、放物面状の構造、球面、円盤、矩形の構造、又は、脈管障害物に向って凸状に曲がる半円形の部分円筒などを含む。」（引１エ）との記載が存在する。
　引用発明１のシート１６が血管閉塞装置を適切な位置に保持するための固定部材としてだけでなく動脈瘤の開口部の閉塞部材としても機能していることからすると、引用例１の上記記載は、引用発明１のシート１６の形状を、血管閉塞装置を適切な位置に保持するとともに動脈瘤の開口部を適切に閉塞する限りにおいて、適宜変更できることを示唆しているといえる。
　しかも、截頭円錐形は円錐形としてよく知られたものであって、引用発明１において、シート１６の形状を全体に截頭円錐形のテーパ状とした場合、血管閉塞装置を適切な位置に保持するとともに動脈瘤の開口部を適切に閉塞できることは明らかである。
　そうすると、引用例１の上記記載に接した当業者であれば、引用発明１におけるシート１６（閉塞構造体）の形状を全体に截頭円錐形のテーパ状として、相違点１に係る本願発明の発明特定事項とすることは容易に想到し得る程度の事項である。
　
２．相違点２
（１）複数の機能を有する部材を用いることは一般的に行われている程度の事項であることからすれば、引用発明１において、「閉塞メンブレン」、「第１の位置決め部材」、「第２の位置決め部材」、「アンカー構造体」として機能する各シート部分を有するシート１８にかえて、上記複数の機能を有する部材を用いることに格別の困難性は見出せない。
　さらに、部材の形状を変更することも当業者であれば適宜試みる程度の事項であることからすれば、引用発明１において、シート１８にかえて上記複数の機能を有する部材を用いるに当たり、「第１の位置決め部材」、「第２の位置決め部材」が、「前記閉塞メンブレンの前記他方の面から」、それぞれ「第１の方向」、「第２の方向」へ「広がる」ように構成することは、当業者が必要に応じて適宜なし得る事項である。
　以上によれば、相違点２に係る本願発明の発明特定事項は引用発明１に基いて当業者が容易に想到し得たものである。
　
（２）さらに、引用発明２を考慮した相違点２に係る本願発明の発明特定事項の容易想到性について以下検討する。
　引用発明２の「人体の血管内の所定の位置に配置される」、「人体の血管内の所定の位置に配置される動脈瘤閉塞装置」は、それぞれ「植え込み型」、「植え込み型動脈瘤閉塞デバイス」といえる。
　また、本願明細書の例えば「メンブレンンは、形状記憶合金のような形状変更可能な材料を含んでいるフレームワークもしくはアンカー構造体に固定されている。いくつかのメンブレンン材料はフレームワークもしくはアンカー構造体にも、被覆、浸漬被覆などの方法により適用することができる。」（【００５０】）との記載からして、引用発明２の「透過性、半透過性、非透過性の膜が骨組に取り付けられた閉塞部」は「閉塞部メンブレン」といえる。
　さらに、引用発明２の「血管内で前記動脈瘤閉塞装置を安定化させる第１の安定化部」は血管内で動脈瘤閉塞装置を位置決めするものであって、「第１の位置決め部材」といえ、同様に「血管内で前記動脈瘤閉塞装置を安定化させる第２の安定化部」は「第２の位置決め部材」といえる。
　以上によれば、引用発明２は、
「小さな直径の形状を有する搬送状態からより大きな直径の形状を有する展開状態へと変形することのできる植え込み型動脈瘤閉塞デバイスであって、
　一方の面および該一方の面と反対側の他方の面を有する閉塞メンブレンであって前記デバイスが前記展開状態であるときに前記動脈瘤の開口部をほぼ覆う寸法の閉塞メンブレンと、
　前記デバイスが前記展開状態であるときに前記閉塞メンブレンから第１の方向へ広がる第１の位置決め部材および前記閉塞部材から第２の方向へ広がる第２の位置決め部材を有し、
　前記第１および第２の位置決め部材は前記展開状態であるときに前記動脈瘤の外側に在り、また前記閉塞部の周囲長を超えて広がる、植え込み型動脈瘤閉塞デバイス。」　　
　といえる。
　引用例１には、第２のシートであるシート１８について、「第２のシートは、主に、閉塞部材として機能する。・・・両方のシートが閉塞部材及び固定部材の両方の機能を有するように設計されることも可能である。」（引１エ）、「少なくとも一方のシートがかなりの量の血流を遮断するように脈管障害物の適切な閉塞をもたらす限りにおいて、さらには、少なくとも一方のシートが装置を脈管障害物の頚部に適切に固定する限りにおいて、シートが特定の形状も構造も有する必要がないことに留意することが重要である。形状の幾つかの例は、限定はされない」（引１エ）との記載及び「第２のシートは代替の固定構造物に置き替え可能である。」（引１オ）との記載が存在する。
　そして、引用発明１のシート１８が動脈瘤の閉塞部材としてだけでなく血管閉塞装置を適切な位置に保持するための固定部材としても機能していることからすると、引用例１の上記記載は、動脈瘤の開口部を適切に閉塞するとともに血管閉塞装置を適切な位置に保持する限りにおいて、引用発明１の血管閉塞装置を適切な位置に保持するための固定部材として機能するシート１８のシート部分の形状を適宜変更したり、シート１８を代替物に置換できることを示唆しているといえる。
　そうすると、引用発明１において、シート１８にかえて該シート１８と同様に動脈瘤の閉塞部材としてだけでなく血管閉塞装置を適切な位置に保持するための固定部材としても機能する、引用発明２の動脈瘤閉塞装置の閉塞メンブレン、第１の安定化部（第１の位置決め部材）及び第２の安定化部（第２の位置決め部材）に係る上記構成を採用し「アンカー構造体」とすることは、引用例１の上記記載に接した当業者であれば容易に想到し得る程度の事項である。
　さらに、引用発明１において、シート１８にかえて引用発明２の動脈瘤閉塞装置の閉塞メンブレン、第１の安定化部（第１の位置決め部材）及び第２の安定化部（第２の位置決め部材）に係る上記構成を採用するに当たり、「第１の位置決め部材」、「第２の位置決め部材」が、「前記閉塞メンブレンの前記他方の面から」、それぞれ「第１の方向」、「第２の方向」へ「広がる」ように構成することは、当業者が必要に応じて適宜なし得る事項である。
　以上によれば、相違点２に係る本願発明の発明特定事項は引用発明１及び引用発明２に基いて当業者が容易に想到し得たものである。
　
３．効果
　そして、本願発明の効果は、引用発明１や引用発明２から当業者が予測し得る範囲内のものである。
　
４．まとめ
　したがって、本願発明は引用発明１、又は、引用発明１及び引用発明２に基いて当業者が容易に発明をすることができたものである。
　
VI．むすび
　以上のとおり、本願発明は、引用発明１、又は、引用発明１及び引用発明２に基いて当業者が容易に発明をすることができたものであるので、特許法第２９条第２項の規定により特許を受けることができない。
　よって、結論のとおり審決する。